(57)【要約】      （修正有）【課題】ＮＦＣ機能を利用して、モバイル端末の表示部にデバイスのステータスを表示する機能と、ユーザをカートリッジの販売ページへ誘導する機能を両立させることが可能な近接無線通信を用いた画像形成装置の制御を提供する。【解決手段】近接無線通信が可能なタグを備えた画像形成装置であって、タグの中にデータを書き込むデータ領域を備え、消耗品関連のエラーの発生により印刷ができない状態であるか否かを判定する印刷不可判定手段と、印刷不可である場合は前記タグのデータ領域に消耗品の販売ページのＵＲＬ情報を含むデータを書き込むＵＲＬ書き込み手段と、を有することを特徴とする。【選択図】図１
2019043047.tif 000002
【特許請求の範囲】
【請求項１】
近接無線通信が可能なタグを備えた画像形成装置であって、
消耗品関連のエラーの発生により印刷ができない状態であるか否かを判定する印刷不可判定手段と、
印刷不可である場合は前記タグのデータ領域に消耗品の販売ページのＵＲＬ情報を含むデータを書き込むＵＲＬ書き込み手段と、
を有することを特徴とする画像形成装置。
【発明の詳細な説明】
【技術分野】
【０００１】
本発明は、近接無線通信を用いた画像形成装置の制御に関するものである。
【背景技術】
【０００２】
近年、近接無線通信（非接触通信）の１つであるＮＦＣ（Ｎｅａｒ  Ｆｉｅｌｄ  Ｃｏｍｍｕｎｉｃａｔｉｏｎ）が様々な分野で普及している。ＮＦＣは通信距離が非常に短く、通信を行う機器同士を数ｃｍ以内に近づけると無線リンクが接続され、遠ざけると無線リンクが切断されるよう制御される。ＮＦＣ機能を搭載した機器同士では、お互いに近づけるだけで通信を行うことが可能となる。そのためＮＦＣは、ユーザが様々なサービスを簡単に利用するための便利な手段を提供できるものとして、様々な分野で注目を集め、実用化されている。
【０００３】
ＮＦＣ規格では、リーダー／ライター機能、カードエミュレーション機能、及び機器間通信（Ｐ２Ｐ：ピアツーピア）機能の３つの機能が規定されている。リーダー／ライター機能は、ＮＦＣ対応機器との間でデータの読み取り及びデータの書き込みを行う機能であり、ＲＦＩＤリーダー／ライターと同様の機能である。カードエミュレーション機能は、ＩＣタグと同様の機能である。ピアツーピア機能は、ＮＦＣ対応機器間でデータの送受信を行う機能である。一般的に、ＮＦＣ機能を搭載したモバイル端末にはリーダー／ライターが実装されており、実装されたリーダー／ライターを利用することで他のＲＦＩＤリーダー／ライターやＩＣタグとの間で、データの読み取り及びデータの書き込みを行うことができる。
【０００４】
プリンタがＮＦＣタグを搭載している場合、カードエミュレーション機能を利用して、ＮＦＣリーダー／ライターを搭載したモバイル端末との通信が可能である。これにより、例えばプリンタのトナーカートリッジの残量を始めとした消耗品に関する情報やプリンタで処理している印刷ジョブの処理状況等の、プリンタに関する情報を、モバイル端末で表示することが可能である。
【０００５】
このような表示方法によれば、例えば、プリンタが小型の表示部しか備えていないか、表示部そのものを備えていない場合にも、より大型の表示部を備えたモバイル端末を利用して、プリンタに関する情報を表示可能になる。また、例えば、プリンタでエラーが発生した場合に、モバイル端末の表示部に、エラーの内容や対処法を表示して、発生したエラーへの対処をユーザに促すことが可能となる。
【０００６】
また、ＮＦＣ機能を搭載した機器を利用したシステムとして、スマートポスターがある。スマートポスターは、ＵＲＬ情報を含む特定のフォーマットのデータが書き込んであるＮＦＣタグをポスターに埋め込んでおき、それにＮＦＣリーダー／ライターをかざすことで、ＮＦＣタグに書き込んである情報を読み取るというシステムである。スマートポスターの一例として、例えば映画のポスターに、その映画のＰＲページのＵＲＬを含む特定のフォーマットのデータを書き込んだＮＦＣタグを埋め込んでおく。
【０００７】
ユーザがＮＦＣリーダー／ライターを搭載したモバイル端末をそのポスターにかざすと、ＮＦＣタグに書き込まれた映画のＰＲページのＵＲＬを読み込み、モバイル端末上で自動的にＷｅｂブラウザが起動し、その映画のＰＲページにアクセスすることができる。このような、スマートポスターを用いたＷｅｂページへのアクセスを行うにあたり、モバイル端末上にＷｅｂブラウザ以外の特別なソフトウェアは必要ない。またこのシステムは、情報を容易に入手できるため利便性が高いだけでなく、安価かつ電源不要なＮＦＣタグを利用しているため、低コストでの導入が可能であり、普及が期待されている。
【０００８】
スマートポスターで用いている技術をプリンタに応用すると、以下のことが可能となる。プリンタはＮＦＣタグを、モバイル端末はＮＦＣリーダー／ライターを備えていることを前提とする。プリンタのＮＦＣタグにカートリッジの販売ページのＵＲＬを含む特定のフォーマットのデータを書き込んでおき、モバイル端末をプリンタにかざしてそのＵＲＬを読み取る。
【０００９】
すると、モバイル端末上で自動的にＷｅｂブラウザが起動され、カートリッジの販売ページが開かれる。この方法を用いれば、モバイル端末上にＷｅｂブラウザ以外の特別なソフトウェアをインストールすることなく、ワンタッチでユーザをカートリッジの販売ページへ誘導することが可能である。このような用途は、本体に表示パネルを備えていないプリンタにおいては特に有用である。特許文献１には、ＮＦＣ機能を搭載した端末においてＮＦＣタグから読み込んだタグ情報に適合するアプリケーションを自動で選択し実行する技術が開示されている。
【先行技術文献】
【特許文献】
【００１０】
【特許文献１】特開２０１３−４５４６２号公報
【発明の概要】
【発明が解決しようとする課題】
【００１１】
ＮＦＣタグのメモリ容量は一般的にプアであるため、多くの情報を書き込んでおくことができなかった。よって例えば、背景技術で述べた、モバイル端末の表示部にプリンタのエラーの内容や対処法を表示するための情報と、スマートポスター用の情報の両方をＮＦＣタグに同時に書き込んでおくことはできなかった。よって、１つのＮＦＣタグのカードエミュレーション機能を利用して、例えば、モバイル端末の表示部にプリンタのエラーの内容や対処法を表示する機能と、ワンタッチでユーザをカートリッジの販売ページへ誘導する機能を両立させることはできなかった。
【課題を解決するための手段】
【００１２】
上記課題を解決するために、本発明における画像形成装置は、近接無線通信が可能なタグを備えた画像形成装置であって、消耗品関連のエラーの発生により印刷ができない状態であるか否かを判定する印刷不可判定手段と、印刷不可である場合は前記タグのデータ領域に消耗品の販売ページのＵＲＬ情報を含むデータを書き込むＵＲＬ書き込み手段と、を有することを特徴とする。
【発明の効果】
【００１３】
ＮＦＣタグに書き込むデータをプリンタのステータスにより動的に変えることで、１つのＮＦＣタグのカードエミュレーション機能を利用して、複数の機能を両立させることが可能になる。例えば、モバイル端末の表示部にプリンタのエラーの内容や対処法を表示する機能と、ワンタッチでユーザをカートリッジの販売ページへ誘導する機能を両立させることが可能になる。
【図面の簡単な説明】
【００１４】
【図１】全体構成を示す図である。
【図２】モバイル端末のハードウェア構成を示すブロック図である。
【図３】デバイスのハードウェア構成を示すブロック図である。
【図４】デバイスＮＦＣタグのメモリマップを示す図である。
【図５】ＮＤＥＦデータの構造を示す図である。
【図６】ＮＤＥＦ  Ｒｅｃｏｒｄの構造を示す図である。
【図７】スマートポスターデータの構造を示す図である。
【図８】デバイスがデバイスＮＦＣタグのデータ領域にモバイルＮＦＣリーダー／ライターと通信するための情報を書き込む動作フローを示す図である。
【図９】モバイル端末がデバイスのデバイスＮＦＣタグを検知した際に行う処理の動作フローである。
【図１０】デバイス情報表示アプリが起動されたときにモバイル端末の表示部に表示する初期画面のＵＩ画面例を示す図である。
【図１１】デバイス情報表示アプリがデバイスから読み込んだステータス情報に応じてモバイル端末の表示部に表示するＵＩ画面例を示す図である。
【発明を実施するための形態】
【００１５】
本発明の実施例で用いる画像形成装置について、図面を参照して説明する。
【００１６】
図１は本実施例を実行する環境を示す図である。ユーザ（１０１）は、モバイル端末（１０２）のモバイルＮＦＣリーダー／ライター（２１２）とデバイス（１０３）のデバイスＮＦＣタグ（３１６）を経由し、ＮＦＣを用いてデバイスに任意の指示を行う事が出来る。なお、本実施例ではデバイス（１０３）として本体に表示パネルを持たないホストベースプリンタを例に説明するが、デバイス（１０３）はプリンタに限らずＭＦＰ（Ｍｕｌｔｉｆｕｎｃｔｉｏｎ  Ｐｅｒｉｐｈｅｒａｌ）等他の画像形成装置であってもよい。
【００１７】
図２は本実施例のモバイル端末（１０２）のハードウェア構成を示す図である。ＣＰＵ（２０１）は、システム全体を制御するプロセッサである。ＲＡＭ（２０２）は、ＣＰＵ（２０１）が動作するためのシステムワークメモリであり、プログラムを記録するためのプログラムメモリとして使用される。ＨＤＤ（２０３）はデータ記憶領域である。操作部Ｉ／Ｆ（２０４）は、操作部（２０６）とのインターフェース部で、操作部（２０６）からの入力信号を受け付ける。また、操作部（２０６）からユーザが入力した情報を、ＣＰＵ（２０１）に伝える役割をする。
【００１８】
表示部Ｉ／Ｆ（２０９）は、表示部（２１０）とのインターフェース部で、ＣＰＵ（２０１）の制御に応じて表示部（２１０）への出力信号を出力する。ＬＡＮ  Ｉ／Ｆ（２０７）は、無線ＬＡＮを含むＬＡＮに接続するための機能ユニットで、ＬＡＮを介して他のデバイスと通信を行うために使用される。ＵＳＢ  Ｉ／Ｆ（２０８）は、ＵＳＢデバイスに接続するための機能ユニットで、ＵＳＢを介して他のデバイスと通信を行うために使用される。ＮＦＣ  Ｉ／Ｆ（２１１）は、モバイルＮＦＣリーダー／ライター（２１２）及びモバイルＮＦＣタグ（２１３）とのインターフェース部である。
【００１９】
ＮＦＣ  Ｉ／Ｆ（２１１）はＣＰＵ（２０１）の制御に応じてモバイルＮＦＣリーダー／ライター（２１２）及びモバイルＮＦＣタグ（２１３）への信号を出力する。また、モバイルＮＦＣリーダー／ライター（２１２）からの信号を受け付け、それをＣＰＵ（２０１）に伝える役割をする。モバイルＮＦＣリーダー／ライター（２１２）は、近距離でのみ通信可能な電磁界を発生させて、ＮＦＣ機能を搭載した機器同士で近接無線通信を可能にする。
【００２０】
モバイルＮＦＣリーダー／ライター（２１２）は近接無線通信により、ＮＦＣタグに書き込まれている情報の読み込み、及びＮＦＣタグへの情報の書き込みをすることが可能である。モバイルＮＦＣタグ（２１３）はＮＦＣリーダー／ライターと近接無線通信を行うことが可能なデータ記憶領域である。本実施例において、モバイルＮＦＣリーダー／ライター（２１２）はＲＦＩＤリーダー／ライターとし、モバイルＮＦＣタグ（２１３）はＩＣタグとする。以上のデバイスがシステムバス（２０５）上に配置される。
【００２１】
図３は本実施例におけるデバイス（１０３）のハードウェア構成を示す図である。コントローラユニット（３１３）は、画像出力デバイスとして機能するプリンタ（３１４）と接続されることで、ＰＣ、プリンタとの画像データやデバイス情報の入出力を行う。ＣＰＵ（３０１）は、システム全体を制御するプロセッサである。ＦＬＡＳＨ  ＲＯＭ（３０２）は書き換え可能な不揮発性メモリであり、システムを制御するための各種制御プログラムが記録される。ＲＡＭ（３０３）は、ＣＰＵ（３０１）が動作するためのシステムワークメモリであり、プログラムを記録するためのプログラムメモリや、画像データを一時記録するための画像メモリでもある。
【００２２】
ＮＶＭＥＭ（３０４）は不揮発性のメモリであり設定情報等を記録する。ＵＳＢ  Ｉ／Ｆ（３０６）は、他のデバイスとのＵＳＢ接続を可能にする。ＬＡＮ  Ｉ／Ｆ（３１１）は、無線ＬＡＮを含むＬＡＮに接続するための機能ユニットで、ＬＡＮを介して他のデバイスと通信を行うために使用される。ＮＦＣ  Ｉ／Ｆ（３１５）は、デバイスＮＦＣリーダー／ライター（３０８）及びデバイスＮＦＣタグ（３１６）とのインターフェース部である。ＮＦＣ  Ｉ／Ｆ（３１５）はＣＰＵ（３０１）の制御に応じてデバイスＮＦＣリーダー／ライター（３０８）及びデバイスＮＦＣタグ（３１６）への信号を出力する。
【００２３】
デバイスＮＦＣリーダー／ライター（３０８）は、近距離でのみ通信可能な電磁界を発生させて、ＮＦＣ機能を搭載した機器同士で近接無線通信を可能にする。デバイスＮＦＣリーダー／ライター（３０８）は近接無線通信により、ＮＦＣタグに書き込まれている情報の読み込み、及びＮＦＣタグへの情報の書き込みをすることが可能である。デバイスＮＦＣタグ（３１６）はＮＦＣリーダー／ライターと近接無線通信を行うことが可能なデータ記憶領域である。
【００２４】
本実施例において、デバイスＮＦＣリーダー／ライター（３０８）はＲＦＩＤリーダー・ライターとし、デバイスＮＦＣタグ（３１６）はＩＣタグとする。以上のデバイスがシステムバス（３０５）上に配置される。ＩＭＡＧＥ  ＢＵＳ  Ｉ／Ｆ（３０７）は、システムバス（３０５）と画像データを高速で転送するイメージバス（３１２）とを接続し、データ構造を変換するバスブリッジである。イメージバス（３１２）は、ＰＣＩバスまたはＩＥＥＥ１３９４で構成される。イメージバス（３１２）上には以下のデバイスが配置される。
【００２５】
プリンタＩ／Ｆ（３１０）は、プリンタ（３１４）とコントローラユニット（３１３）を接続し、画像データの同期系／非同期系の変換やデータのやりとりを行う。画像処理部（３０９）は、入力画像データに対し補正、加工、編集を行ったり、プリント出力画像データに対して、プリンタの補正、解像度変換等を行う。また、これに加えて、画像データの回転や、多値画像データに対してはＪＰＥＧ、２値画像データはＪＢＩＧ、ＭＭＲ、ＭＨ等の圧縮伸張処理を行う。プリンタ（３１４）は、ラスタイメージデータを用紙上の画像に変換する。その方式は感光体ドラムや感光体ベルトを用いた電子写真方式である。プリント動作の起動は、ＣＰＵ（３０１）からの指示によって開始する。
【００２６】
ここで、上記で述べた本実施例の環境での動作概要を説明する。ユーザ（１０１）がモバイル端末（１０２）上で動作するデバイス情報表示アプリを起動すると、モバイル端末（１０２）の表示部（２１０）にはデバイス情報表示アプリの初期画面が表示される。図１０はそのときのモバイル端末（１０２）の表示部（２１０）の例を示す。デバイス情報表示アプリとは、デバイス情報表示アプリ用データ内の情報をモバイル端末（１０２）の表示部（２１０）に表示するためにモバイル端末（１０２）上にインストールされる専用アプリケーションである。本実施例では、デバイス情報表示アプリを、デバイス（１０３）のステータスをモバイル端末（１０２）の表示部（２１０）に表示する機能に特化したアプリとする。
【００２７】
ユーザ（１０１）は、デバイス（１０３）のステータスを知るために、モバイル端末（１０２）をデバイス（１０３）に近付ける。すると、モバイルＮＦＣタグリーダー／ライター（２１２）はデバイスＮＦＣタグ（３１６）からデバイス情報表示アプリ用データを読み込む（Ｓ９０２）。するとモバイル端末（１０２）の表示部（２１０）には、デバイス情報表示アプリ用データ内のステータス情報に応じた表示（デバイス（１０３）のステータスや、そのステータスをスキップするための手順等の表示）が行われる（Ｓ９０８）。
【００２８】
図１１はそのときのモバイル端末（１０２）の表示部（２１０）を表しており、デバイス（１０３）から読み込んだデバイス情報表示アプリ用データ内のステータス情報が印刷中であった場合の例である。ユーザ（１０１）はモバイル端末（１０２）の表示部（２１０）を確認することで、デバイス（１０３）のステータスや、そのステータスをスキップするための手順等を知ることができる。
【００２９】
ただし、デバイス（１０２）がカートリッジ関連のエラーの発生により印刷ができない状態である場合は、以下の制御を行う。ユーザ（１０１）がモバイル端末（１０２）をデバイス（１０３）に近付けると、モバイルＮＦＣタグリーダー／ライター（２１２）はデバイスＮＦＣタグ（３１６）からスマートポスターデータを読み込む（Ｓ９０２）。するとモバイル端末（１０２）上でＷｅｂブラウザが起動され（Ｓ９０９）、デバイス（１０３）から読み込んだスマートポスターデータに応じたＵＲＬ（カートリッジの販売ページのＵＲＬ）が開かれる（Ｓ９０４）。これによりユーザ（１０１）は、デバイス（１０３）がトナー切れなどにより印刷できなくなったときに、容易に新しいカートリッジを購入することができる。
【００３０】
上記運用フローを実現するために本実施例にて行う制御等について、更に図面を参照して以下に説明する。図４は本実施例におけるデバイス（１０３）のデバイスＮＦＣタグ（３１６）のメモリマップの一例を示す図である。
【００３１】
ＩＤ領域（４０１）は、一般的に各ＮＦＣタグを識別するための固有ＩＤが書き込まれている領域である。その固有ＩＤは各ＮＦＣタグに、原則として一意に割り当てられている。モバイル端末（１０２）のモバイルＮＦＣタグ（２１３）にも、同じくこのＩＤ領域（図示は省略）が存在する。
【００３２】
データ領域（４０２）は、デバイス情報表示アプリ用データや、スマートポスター用の情報など、モバイルＮＦＣリーダー／ライター（２１２）と通信するための情報が書き込まれる領域である。デバイス情報表示アプリ用データとは、例えばデバイス（１０３）のエラーの内容や対処法に関する情報や、デバイス（１０３）で処理している印刷ジョブの処理状況に関する情報等であり、デバイス情報表示アプリに対応したフォーマットで書き込まれる。本実施例では、デバイス情報表示アプリ用データを、デバイス（１０３）のステータスに特化した情報とする。
【００３３】
一方、スマートポスター用の情報とは、ＮＤＥＦ（ＮＦＣ  Ｄａｔａ  Ｅｘｃｈａｎｇｅ  Ｆｏｒｍａｔ）形式に準拠したスマートポスターデータである。ＮＤＥＦデータの構造については図５、図６で説明し、スマートポスターデータの構造については図７で説明する。
【００３４】
図５は本実施例におけるＮＤＥＦデータの構造の一例を表す図である。ＮＤＥＦはＮＦＣでデータのやり取りをする際に使われるデータフォーマットである。ＮＤＥＦ  データはＮＤＥＦ  Ｍｅｓｓａｇｅ（５０１）内部にカプセル化され、そこには１つ以上のＮＤＥＦ  Ｒｅｃｏｒｄ（５０２）が含まれている。
【００３５】
ＮＤＥＦ  Ｒｅｃｏｒｄ（５０２）の構造については図６で説明する。図６は本実施例におけるＮＤＥＦ  Ｒｅｃｏｒｄ（５０２）の構造の一例を示す図である。Ｈｅａｄｅｒ（６０１）フィールドに書き込まれるのはヘッダー情報である。そのヘッダー情報には、そのＮＤＥＦ  Ｒｅｃｏｒｄ（５０２）がＮＤＥＦ  Ｍｅｓｓａｇｅ（５０１）内の最初あるいは最後のＮＤＥＦ  Ｒｅｃｏｒｄ（５０２）であるのかの情報や、ＮＤＥＦ  Ｍｅｓｓａｇｅ（５０１）のサイズに関わる情報などが含まれる。
【００３６】
Ｔｙｐｅ  Ｌｅｎｇｔｈ（６０２）フィールドに書き込まれるのはＴｙｐｅ（６０４）フィールドのサイズ情報である。Ｐａｙｌｏａｄ  Ｌｅｎｇｔｈ（６０３）フィールドに書き込まれるのはＰａｙｌｏａｄ（６０５）フィールドのサイズ情報である。Ｔｙｐｅ（６０４）フィールドに書き込まれるのはＰａｙｌｏａｄ（６０５）のタイプ情報である。例えば、Ｔｙｐｅ（６０４）で“Ｓｐ”が指定された場合はＰａｙｌｏａｄ（６０５）をスマートポスターデータとして解釈し、“Ｕ”が指定された場合はＰａｙｌｏａｄ（６０５）をＵＲＩデータとして解釈する。Ｔｙｐｅ（６０４）フィールドに書き込まれるのはデータ本体である。
【００３７】
図７は本実施例におけるスマートポスターデータの構造の一例を示す図である。この図から分かるように、スマートポスターデータのＮＤＥＦ  Ｍｅｓｓａｇｅ［１］（７０１）は入れ子構造になっている。Ｎｄｅｆ  Ｒｅｃｏｒｄ［１］（７０２）のＴｙｐｅ（７０３）には“Ｓｐ”が指定されスマートポスターデータであることを表しており、Ｐａｙｌｏａｄ（７０４）にはＮＤＥＦ  Ｍｅｓｓａｇｅ［２］（７０５）が格納されている。Ｎｄｅｆ  Ｒｅｃｏｒｄ［２］（７０５）のＴｙｐｅ（７０６）には“Ｕ”が指定されＵＲＩデータであることを表しており、Ｐａｙｌｏａｄ（７０７）にはＵＲＬが格納される。本実施例では、デバイス（１０３）はデバイスＮＦＣタグ（３１６）内のデータ領域（４０２）内のスマートポスターデータのＰａｙｌｏａｄ（７０７）に、カートリッジの販売ページのＵＲＬを書き込む（Ｓ８０４）。
【００３８】
図８は本実施例における、デバイス（１０３）がデバイスＮＦＣタグ（３１６）のデータ領域（４０２）に、モバイルＮＦＣリーダー／ライター（２１２）と通信するための情報の書き込みを行う処理の動作フローである。デバイス（１０３）は自身の電源が入っている間、常にこの動作フローを繰り返し行っている。デバイス（１０３）は、自身のステータスが変化したか否かをポーリングしている（Ｓ８０１）。変化していなかった場合、Ｓ８０１の判定に戻る。
【００３９】
変化していた場合、デバイスＮＦＣタグ（３１６）のデータ領域（４０２）に書き込まれているデータを消去し（Ｓ８０５）、カートリッジ関連のエラーの発生により印刷ができない状態であるか否かを判定する（Ｓ８０２）。
【００４０】
印刷ができない状態ではなかった場合、デバイスＮＦＣタグ（３１６）のデータ領域（４０２）に、デバイス（１０３）のステータス情報を含むデバイス情報表示アプリ用データを書き込み（Ｓ８０３）、フローを終了する。このデータをモバイル端末（１０２）のモバイルＮＦＣタグリーダー／ライター（２１２）が読み込むことで、モバイル端末（１０２）の表示部（２１０）には、デバイス（１０３）のステータスに関する情報が表示される（Ｓ９０８）。
【００４１】
印刷ができない状態であった場合、デバイスＮＦＣタグ（３１６）のデータ領域（４０２）に、カートリッジの販売ページのＵＲＬを含むスマートポスターデータを書き込み（Ｓ８０４）、フローを終了する。このデータをモバイル端末（１０２）のモバイルＮＦＣタグリーダー／ライター（２１２）が読み込むことで、モバイル端末（１０２）上でＷｅｂブラウザが起動され（Ｓ９０９）、カートリッジの販売ページのＵＲＬにアクセスすることができる（Ｓ９０４）。
【００４２】
図９は本実施例における、モバイル端末（１０２）のモバイルＮＦＣリーダー／ライター（２１２）がデバイス（１０３）のデバイスＮＦＣタグ（３１６）を検知した際に行う処理の動作フローである。モバイル端末（１０２）は、デバイス（１０３）のデバイスＮＦＣタグ（３１６）が検知されたか否かをポーリングしている（Ｓ９０１）。検知されなかった場合、モバイル端末（１０２）は自身がデバイス（１０３）にタッチされていないと判断し、Ｓ９０１の判定に戻る。
【００４３】
検知された場合、モバイル端末（１０２）は自身がデバイス（１０３）にタッチされたと判断し、検知されたデバイスＮＦＣタグ（３１６）のデータ領域（４０２）に書き込まれているデータを読み込む（Ｓ９０２）。そして読み込んだデータがスマートポスターデータであるか否かを判定する（Ｓ９０３）。
【００４４】
スマートポスターデータであった場合、Ｗｅｂブラウザを起動し（Ｓ９０９）、そのスマートポスターデータのＰａｙｌｏａｄ（７０７）に書き込んであるカートリッジの販売ページのＵＲＬにアクセスし（Ｓ９０４）、フローを終了する。ちなみに、Ｓ９０９の直前の段階で既にＷｅｂブラウザが起動していた場合でも、Ｓ９０９では新たにＷｅｂブラウザを起動する。
【００４５】
スマートポスターデータではなかった場合、読み込んだデータがデバイス情報表示アプリ用データであるか否かを判定する（Ｓ９０５）。デバイス情報表示アプリ用データではなかった場合、フローを終了する。
【００４６】
デバイス情報表示アプリ用データであった場合、モバイル端末（１０２）上で既にデバイス情報表示アプリが起動しているか否かを判定する（Ｓ９０６）。
【００４７】
起動していた場合、表示部（２１０）に、デバイス情報表示アプリ用データ内のステータス情報に応じた表示（デバイス（１０３）のステータスや、そのステータスをスキップするための手順等の表示）を行い（Ｓ９０８）、フローを終了する。
【００４８】
起動していなかった場合、デバイス情報表示アプリを起動し（Ｓ９０７）、デバイス情報表示アプリ用データ内のステータス情報に応じた表示を行い（Ｓ９０８）、フローを終了する。
【００４９】
以上に述べた処理制御を行うことで、ＮＦＣ機能を利用して、モバイル端末（１０２）の表示部（２１０）にデバイス（１０３）のステータスを表示する機能と、ユーザをカートリッジの販売ページへ誘導する機能を両立させることが可能となる。
【符号の説明】
【００５０】
１０２・・モバイル端末、１０３・・デバイス、２１０・・表示部
【図１】
2019043047.tif 000003
【図２】
2019043047.tif 000004
【図３】
2019043047.tif 000005
【図４】
2019043047.tif 000006
【図５】
2019043047.tif 000007
【図６】
2019043047.tif 000008
【図７】
2019043047.tif 000009
【図８】
2019043047.tif 000010
【図９】
2019043047.tif 000011
【図１０】
2019043047.tif 000012
【図１１】
2019043047.tif 000013